(57)【要約】【課題】いずれも回転操作されることで脱着される構造を有して、同方向の回転操作で脱着できるようにしながら、共回りを確実に阻止することが可能な液状物収納容器を提供する。【解決手段】液状物を抽出可能に収納する容器本体１と、抽出口２を有して、容器本体に第１ネジ部３を介して締め緩め自在に螺合される抽出筒４と、抽出筒と容器本体との間に設けられ、これらを係脱可能に係止する係止部５と、抽出口を封鎖すべく抽出筒に第２ネジ部６を介して締め緩め自在に螺合されるとともに、係止部による係止状態を、抽出筒への締め込み状態で保持し、抽出筒から緩めていく過程で離脱可能状態とするキャップ７とを備えた。【選択図】図３
2005206185.tif 000002
【特許請求の範囲】
【請求項１】
液状物を抽出可能に収納する容器本体と、抽出口を有して、上記容器本体に第１ネジ部を介して締め緩め自在に螺合される抽出筒と、該抽出筒と上記容器本体との間に設けられ、これらを係脱可能に係止する係止部と、上記抽出口を封鎖すべく上記抽出筒に第２ネジ部を介して締め緩め自在に螺合されるとともに、上記係止部による係止状態を、該抽出筒への締め込み状態で保持し、該抽出筒から緩めていく過程で離脱可能状態とするキャップとを備えたことを特徴とする液状物収納容器。
【発明の詳細な説明】
【技術分野】
【０００１】
本発明は、いずれも回転操作されることで脱着される構造を有して、同方向の回転操作で脱着できるようにしながら、共回りを確実に阻止することが可能な液状物収納容器に関する。
【背景技術】
【０００２】
従来、蓋がされて封止される容器本体から液体を抽出する部分に、中栓などのパーツを付加し、これらを互いに回転操作することで脱着できるようにした液状物の収納容器が知られている（特許文献１〜３参照）。
【０００３】
特許文献１では、容器の口頸部に装着される中栓と、この中栓に装着される外蓋とを備え、中栓の内周面に雌螺条が、外周面に雄螺条が形成されるとともに、外蓋の内周面に雌螺条が、また容器の外周面に雄螺条が形成されていて、これら螺条を締め込んだり、緩めたりすることで、容器に対して中栓が、また中栓に対して外蓋が脱着されるようになっている。
【０００４】
特許文献２では、コップと中栓とがねじ嵌合され、中栓と容器の肩体とがねじ嵌合されるもので、特に共回りを防ぐために、容器に対する中栓のねじ嵌合よりも、中栓に対するコップのねじ嵌合を弱くできるように、コップと中栓のねじ嵌合の完了を凹突嵌合で分かるようにしたり、あるいはこれら２つのねじ嵌合を逆ねじとするようにしている。
【０００５】
特許文献３では、内側ねじ部を有する容器本体と、外側ねじ部およびこれとは逆ねじとなる内側ねじ部を有する本キャップと、外側ねじ部を有する栓体とを備え、共回りを防ぎながら、これらねじ部を螺合させることができるようにしている。
【特許文献１】実開平５−４０１６７号公報
【特許文献２】実開平５−１８４３８号公報
【特許文献３】実開平６−３８８１０号公報
【発明の開示】
【発明が解決しようとする課題】
【０００６】
ところで従来にあっては、互いに回転操作される蓋や容器本体、付加したパーツなどの脱着構造に関して、逆ねじを採用したり、凹突嵌合で一方のねじ嵌合に対し他方のねじ嵌合が緩くなされるようにするなどして、共回りを防止できるようにしていたが、逆ねじは一般的な右ねじ操作に対し、逆向きの操作が要求されるため、使用する際の締め込み操作が分かりづらいなど、不便さがあった。また、凹突嵌合で２つのねじ嵌合の締め込み強さを変えるようにしても、締め込みを強くすべきねじ嵌合がしっかりと締め込まれるとは限らず、締め込みが緩めであると共回りを避けることはできないという、不都合があった。
【０００７】
本発明は上記従来の課題に鑑みて創案されたものであって、いずれも回転操作されることで脱着される構造を有して、同方向の回転操作で脱着できるようにしながら、共回りを確実に阻止することが可能な液状物収納容器を提供することを目的とする。
【課題を解決するための手段】
【０００８】
本発明にかかる液状物収納容器は、液状物を抽出可能に収納する容器本体と、抽出口を有して、上記容器本体に第１ネジ部を介して締め緩め自在に螺合される抽出筒と、該抽出筒と上記容器本体との間に設けられ、これらを係脱可能に係止する係止部と、上記抽出口を封鎖すべく上記抽出筒に第２ネジ部を介して締め緩め自在に螺合されるとともに、上記係止部による係止状態を、該抽出筒への締め込み状態で保持し、該抽出筒から緩めていく過程で離脱可能状態とするキャップとを備えたことを特徴とする。
【発明の効果】
【０００９】
本発明にかかる液状物収納容器にあっては、いずれも回転操作されることで脱着される構造を有して、同方向の回転操作で脱着できるようにしながら、共回りを確実に阻止することができる。
【発明を実施するための最良の形態】
【００１０】
以下に、本発明にかかる液状物収納容器の好適な一実施形態を、添付図面を参照して詳細に説明する。本実施形態にかかる液状物収納容器は基本的には、図１〜図４に示すように、液状物を抽出可能に収納する容器本体１と、抽出口２を有して、容器本体１に第１ネジ部３を介して締め緩め自在に螺合される抽出筒４と、抽出筒４と容器本体１との間に設けられ、これらを係脱可能に係止する係止部５と、抽出口２を封鎖すべく抽出筒４に第２ネジ部６を介して締め緩め自在に螺合されるとともに、係止部５による係止状態を、抽出筒４への締め込み状態で保持し、抽出筒４から緩めていく過程で離脱可能状態とするキャップ７とを備えて構成される。
【００１１】
容器本体１は底部が封鎖された中空筒体状に形成され、その内部に、例えばローションやミルクなどの液状化粧料などの液状物が収納される。容器本体１には、その上端部に上下２つの第１段差部８と第２段差部９を介して、最上部に抽出首部１０が、そしてまたその下方に縮径部１１が形成され、抽出首部１０には液状物を抽出可能とする開口１２が形成される。他方、抽出筒４は、上端が天面部１３で封鎖された中空筒体状に形成されるとともに、一つの段差部１４を介して、下方に環状スカート部１５が、上方に筒部１６が形成される。天面部１３には、その中央に抽出口２が、抽出口２周囲に上方へ突出させて環状の注ぎ口部１７が、また下方へ垂下させて容器本体１の開口１２に嵌脱自在に嵌め込まれる環状嵌合部１８が形成される。この抽出筒４は、その段差部１４が容器本体１の第１段差部８に重ね合わされて、筒部１６が抽出首部１０に、また環状スカート部１５が縮径部１１に被さるようにして、容器本体１に装着される。
【００１２】
容器本体１と抽出筒４との間には第１ネジ部３が形成される。具体的には、容器本体１の抽出首部１０の外周面には第１雄ネジ３ａが形成されるとともに、抽出筒４の筒部１６の内周面には、第１雄ネジ３ａに締め緩め自在に螺合される第１雌ネジ３ｂが形成され、これにより抽出筒４が容器本体１に着脱自在に装着される。
【００１３】
係止部５は容器本体１の抽出首部１０と抽出筒４の筒部１６との間に、これらを係脱可能に係止すべく設けられる。係止部５は、抽出首部１０の外周面に径方向外方へ向かって突出させて形成された凸部１９と、筒部１６の内周面に、その径方向内方へ向かって突出させて形成され、凸部１９に係脱可能に係止される係止突起２０とから構成される。凸部１９は、容器本体１の第１段差部８直上であって、第１雄ネジ３ａの下方となる抽出首部１０の下端に形成された環状段部２１に設けられる。また係止突起２０は、抽出筒４の段差部１４直上であって環状段部２１と向かい合う筒部１６の下端に形成される弾性片２２に設けられる。弾性片２２は、筒部１６に形成されたＵ字状のスリット２３により、筒部１６の径方向に弾性変形自在に形成される。
【００１４】
そしてこの係止部５は、第１ネジ部３を介して筒部１６を抽出首部１０に締め込むことにより、係止突起２０が弾性片２２の弾性変形を伴って凸部１９を乗り越えて係止され、これにより抽出筒４と容器本体１との相対回転、特に第１ネジ部３の緩み方向への相対回転を阻止するようになっている。他方、弾性片２２の弾性変形を伴って係止突起２０が凸部１９を乗り越える操作力を加えて抽出筒４を緩めると、係止突起２０は凸部１９から離脱されることとなり、これにより抽出筒４を容器本体１から取り外すことができるようになっている。
【００１５】
図示例にあっては、凸部１９および係止突起２０は、抽出首部１０の周方向に１８０°の間隔を隔てて２箇所に形成されている。しかしながら、その設置箇所数は適宜に設定することができる。また、抽出首部１０に筒部１６を締め込んでいく（第１ネジ部３は右ネジで抽出筒４が右へ回される）際に、係止突起２０と向かい合うようになる凸部１９には、係止突起２０が弾性片２２の弾性変形を伴って円滑にこれを乗り越えることができるように傾斜面２４が形成される。
【００１６】
さらに、環状段部２１には、係止突起２０が凸部１９に係止された後に筒部１６が抽出首部１０周りにがたつくことを防止するために、凸部１９に対し適宜な間隔を隔てて向かい合わせて係止突起２０を当該凸部１９との間に挟み込む制止凸部２５が形成されている。この制止凸部２５は、第１ネジ部３を締め切った位置で係止突起２０が凸部１９を乗り越える寸法設定とすれば、係止突起２０、ひいては抽出筒４ががたつくことはないので、必要に応じて設ければよい。
【００１７】
キャップ７は、周側壁部２６と天板部２７とから上端が封鎖された中空筒体状に形成される。このキャップ７にはその天板部２７から垂下させて、内側に抽出口２を封鎖すべく注ぎ口部１７内方に挿抜自在に挿入される栓部２８が、外側に抽出筒４の天面部１３に当接される環状シール２９が形成される。キャップ７と抽出筒４との間には、第１ネジ部３と同じ右ネジとされた第２ネジ部６が形成される。具体的には、キャップ７の周側壁部２６の内周面には第２雌ネジ６ａが形成されるとともに、抽出筒４の筒部１６の外周面には、第２雌ネジ６ａに締め緩め自在に螺合される第２雄ネジ６ｂが形成され、これによりキャップ７が抽出筒４に着脱自在に装着される。
【００１８】
特にこのキャップ７の周側壁部２６は、栓部２８が抽出筒４の注ぎ口部１７内に入り込み、環状シール２９が天面部１３に当接するキャップ７の抽出筒４への装着状態で、弾性片２２が形成された筒部２６の下端を覆って被さる高さ寸法で形成され、これによりキャップ７は、抽出筒４への締め込み状態で弾性片２２の弾性変形を阻止し、他方、抽出筒４から緩められていく過程で弾性片２２よりも上方へと抜き出されることで、弾性片２２の弾性変形を許容するようになっている。
【００１９】
詳細には、第１ネジ部３により抽出筒４が容器本体１に螺着されて係止突起２０が凸部１９に係止されている状態で、第２ネジ部６によりキャップ７が抽出筒４の筒部１６に螺着されているときには、キャップ７の周側壁部２６が弾性片２２の外側を覆っていて、これにより弾性片２２の弾性変形が阻止されて、係止部５はその離脱が阻止された係止状態に保持される。第２ネジ部６によりキャップ７を緩めて離脱させていく過程では、緩め始めた段階では、キャップ７の周側壁部２６は依然として弾性片２２に被さっていて、係止部５による抽出筒４と容器本体１の係止状態が保持され、キャップ７のみを抽出筒４から緩めていくことができる。キャップ７が相当に緩んだ段階になると、周側壁部２６は弾性片２２上方に達し、弾性片２２が弾性変形可能となって容器本体１と抽出筒４を係止している係止部５は離脱可能状態とされるようになっている。
【００２０】
本実施形態に係る液状物収納容器の作用について説明すると、容器本体１に抽出筒４が螺合され、さらに抽出筒４にキャップ７が螺合された状態の液状物収納容器から液状物を抽出する際には、第２ネジ部６を介してキャップ７を取り外す。この際、緩め始めはキャップ７により係止部５の係止状態を保持することができるので、第２ネジ部６と同じ向きのネジである第１ネジ部３における抽出筒４と容器本体１との相対回転、すなわち第１ネジ部３に緩みが生じることを防止でき、第２ネジ部６のみの螺合解除によりキャップ７だけを抽出筒４、ひいては容器本体１からスムーズに取り外すことができる。
【００２１】
詳しくは、第２ネジ部６の緩め始めでは、キャップ７により弾性片２２の弾性変形が阻止されていて、これにより係止部５は係止状態にあって第１ネジ部３が緩むことはなく、その後、キャップ７が相当に緩められた時点では、弾性片２２の弾性変形が許容されるようになって係止部５は離脱可能状態になるけれども、このときには既に第２ネジ部６を軽い操作力で緩めることができるようになっていて、第２ネジ部６の回転操作によって係止部５が離脱して第１ネジ部３が緩んでしまうことはなく、抽出筒４の容器本体１への装着状態を保持することができる。そしてキャップ７を取り外すことにより、容器本体１に対して装着状態にある抽出筒４の抽出口２から液状物を抽出することができる。抽出後は、キャップ７を第２ネジ部６を介して抽出筒４に螺合していけば、係止部５の離脱や第１ネジ部３の緩みを生じることなく、装着することができて、適切に抽出口２を封鎖することができる。
【００２２】
他方、容器本体１内に液状物を収納したり、補充する際には、キャップ７を取り外した状態で、抽出筒４を容器本体１に対して第１ネジ部３の緩み方向に回転させればよい。これにより、係止突起２０が弾性片２２の弾性変形を伴いつつ凸部１９から離脱して係止部５の係止状態を解除することができ、抽出筒４を第１ネジ部３を介して容器本体１から取り外すことができて、抽出首部１０の開口１２から液状物を補充など、することができる。液状物を補充などした後は、第１ネジ部３により抽出筒４を容器本体１に螺合していき、凸部１９にこれを乗り越えさせて係止突起２０を係止すればよい。そしてその後、キャップ７を抽出筒４に装着する。
【００２３】
以上説明したように本実施形態に係る液状物収納容器にあっては、液状物を抽出可能に収納する容器本体１と、抽出口２を有して、容器本体１に第１ネジ部３を介して締め緩め自在に螺合される抽出筒４と、抽出筒４と容器本体１との間に設けられ、これらを係脱可能に係止する係止部５と、抽出口２を封鎖すべく抽出筒４に第２ネジ部６を介して締め緩め自在に螺合されるとともに、係止部５による係止状態を、抽出筒４への締め込み状態で保持し、抽出筒４から緩めていく過程で離脱可能状態とするキャップ７とを備えたので、係止部５による容器本体１と抽出筒４との係止状態を、締め緩めされるキャップ７で保持したり解除可能にしたりして２つのネジ部３，６の共回りを確実に阻止することができ、これにより容器本体１への抽出筒４の脱着も、抽出筒４へのキャップ７の脱着も、ともに同方向の回転操作で行うことができて、便利で良好な操作性を確保することができる。
【００２４】
このような構成を備えた液状物収納容器は、液状物を直接入れ替える入れ替え式であるので、交換用のレフィルなどの別容器を容器本体１に脱着する形態のものに比べて、省資源化に適している。また、容器本体１をガラス製とし、抽出筒４を合成樹脂製とした場合など、異種材料で構成した場合に、抽出筒４を容器本体１から容易に取り外すことができて、分別収集に対し高い適応性を発揮することができる。
【図面の簡単な説明】
【００２５】
【図１】本発明にかかる液状物収納容器の好適な一実施形態を示す分解斜視図である。
【図２】図１に示した液状物収納容器の平面断面図である。
【図３】図２中Ａ−Ａ線矢視断面図である。
【図４】図１に示した液状物収納容器の係止部が離脱された状態を示す、図３に対応する断面図である。
【符号の説明】
【００２６】
１  容器本体
２  抽出口
３  第１ネジ部
４  抽出筒
５  係止部
６  第２ネジ部
７  キャップ
【図１】
2005206185.tif 000003
【図２】
2005206185.tif 000004
【図３】
2005206185.tif 000005
【図４】
2005206185.tif 000006